(57)【要約】【目的】衣服自体に洗濯ネットを取り付けることにより、洗濯時に改めて洗濯ネットを用意しなくても済むようにする。【構成】衣服（１０）の内側に開閉可能な開口部（１２）を有する袋状洗濯ネット（１１）を取付けている。洗濯時にはこの洗濯ネットの中にその衣服を収容することができる。前記袋状洗濯ネット（１１）は、衣服（１０）が上着のときは着用者の背中に当たる部分に取り付けたり、ポケットにすることが好ましい。衣服がズボンのときは、前記袋状洗濯ネットがポケットを構成することが好ましい。前記開口部（１２）は、前からでも後ろからでも係合可能な開閉具（１３）により開閉可能であるのが好ましい。【選択図】  図１
2005009056.tif 000002
【特許請求の範囲】
【請求項１】
衣服（１０，１０Ａ，１０Ｂ）の内側に開閉可能な開口部（１２，１２Ａ，１２Ｂ）を有する袋状洗濯ネット（１１，１１Ａ，１１Ｂ）を取付け、洗濯時にはこの洗濯ネットの中にその衣服を収容することができることを特徴とする衣服。
【請求項２】
衣服（１０）が上着であり、前記袋状洗濯ネット（１１）が着用者の背中に当たる部分に取り付けられている請求項１記載の衣服。
【請求項３】
衣服（１０Ａ）が上着であり、前記袋状洗濯ネット（１１Ａ）がポケットを構成している請求項１記載の衣服。
【請求項４】
衣服がズボン（１０Ｂ）であり、前記袋状洗濯ネット（１１Ｂ）がポケットを構成している請求項１記載の衣服。
【請求項５】
前記開口部（１２，１２Ａ，１２Ｂ）が前からでも後ろからでも係合可能な開閉具（１３，１３Ａ，１３Ｂ）により開閉可能である請求項１ないし３の何れかに記載の衣服。
【発明の詳細な説明】
【０００１】
【発明の属する技術分野】
本発明は洗濯ネット付き衣服に関する。特に、家庭の電気洗濯機で丸洗いが可能なタイプの合成繊維からなる上着やズボンに適当であるが、これらに限定される訳ではない。
【０００２】
【従来の技術】
従来、上着やズボンを洗濯機で丸洗いすると、他の洗濯物と絡まってシワが付いたり型くずれを起こしたりしていた。それを防ぐために、洗濯ネットに入れて、洗濯することがよく行われている。
【０００３】
【発明が解決しようとする課題】
しかし、洗濯をするとき、洗濯ネットの数が足りなくなったり、旅先・出張先などで洗濯ネットの持ち合わせがない場合もある。
【０００４】
本発明は、そのような場合に備え、衣服自体に洗濯ネットを取り付けることにより、洗濯時に改めて洗濯ネットを用意しなくても済むような衣服を提供することを目的とする。
【０００５】
【課題を解決するための手段】
本発明は、衣服の内側に開閉可能な開口部を有する袋状洗濯ネットを取付け、洗濯時にはこの洗濯ネットの中にその衣服を収容することができることを特徴とする衣服である。
【０００６】
【発明の実施の態様】
洗濯ネットを取り付ける位置は、上着の場合、着用者の背中に当たる部分やポケットが好ましく、ズボンの場合、ポケットが好ましい。いずれにしても外部から見えないようにする必要がある。洗濯ネットを着用者の背中に当たる部分に取り付けたときには、それ自体通気性のあるメッシュ裏地となるので、嵩張ることもなく着心地は良好である。また、ポケットとしたときには、従来のポケットの代用品となるので、別にポケットを用意する必要がなく、生地を有効利用することができる。
【０００７】
洗濯ネットは水又は洗剤が通過するのを妨げないようにメッシュ状とするのが好ましく、特にトリコットメッシュが好ましい。
【０００８】
洗濯ネット開口部は、プレスボタン、面ファスナ、スライドファスナなどで開閉可能とするが、裏返し状態でも簡単に開閉できるようにするため、前記開口部が前からでも後ろからでも係合可能な開閉具により開閉可能であることが好ましい。その目的のためには、例えば、本出願人の製品であるテープ付きファスナ「テーピー」（商標）を使用することができる。
【０００９】
【実施例】
以下、添付の図面に基づき、本発明の実施例を説明する。
【００１０】
＜第１実施例＞
図１は、洗濯ネット１１を取り付けた上着１０の前部を広げた状態の正面図である。この図に示すように、この洗濯ネット１１は上着の内側で着用者の背中に当たる部分に取り付けられている。
【００１１】
着用者側上側ネット１１ａと衣服側下側ネット１１ｂで袋を形成している。袋の全体は半円状であり、底辺以外の周囲は上着の内側に縫いつけられている。この実施例では、底辺が開口部１２となり、ここにプレスボタンからなる開閉具１３が取り付けられている。下側ネット底辺と衣服の間は断片的な面ファスナ（図示せず）で着脱可能となっている。
【００１２】
この上着の着用時は、洗濯ネット１１がそれ自体通気性のあるメッシュ裏地となるので、嵩張ることもなく、着心地は良好である。
【００１３】
洗濯時には、図２に示すように、上着１０を裏返すようにして、この洗濯ネット１１の中に収容する。その後、開口部１２を閉じて、その状態で洗濯機に入れて洗濯する。洗濯ネット１１が裏返し状態でも簡単に開閉できるようにするため、開閉具１３として、前からでも後ろからでも係合可能な本出願人の製品であるテープ付きファスナ「テーピー」（商標）を使用している。
【００１４】
＜第２実施例＞
図３は本発明の第２実施例である。洗濯ネット１１Ａが上着１０Ａの内ポケットを構成している。ポケットの開口部が洗濯ネットの開口部１２Ａとなり、ここに開閉具１３Ａが取り付けられている。なお、この上着の着用時には、洗濯ネットは通常のポケットとして使用可能であるので、生地を有効利用することができる。
【００１５】
＜第３実施例＞
図４は本発明の第３実施例である。洗濯ネット１１Ｂがズボン１０Ｂのポケットを構成している。ポケットの開口部が洗濯ネットの開口部１２Ｂとなり、ここに開閉具１３Ｂが取り付けられている。なお、このズボンの着用時には、洗濯ネットは通常のポケットとして使用可能であるので、別にポケットを用意する必要がなく、生地を有効利用することができる。
【００１６】
【発明の効果】
本発明によれば、衣服自体に洗濯ネットが取り付けられているので、洗濯ネットの数が足りないとか、旅先・出張先などで洗濯ネットの持ち合わせがないというような事態が避けられる。
【００１７】
さらに、洗濯ネットを着用者の背中に当たる部分に取り付けたときには、それ自体通気性のあるメッシュ裏地となるので嵩張ることがなく、着心地も良好である。また、ポケットに取り付けたときには、従来のポケットの代用品となるので、別にポケットを用意する必要がなく、生地を有効利用することができる。
【図面の簡単な説明】
【図１】洗濯ネット１１をとりつけた上着１０の前部を広げた状態の正面図である。
【図２】上着１０を裏返すようにして、この洗濯ネット１１の中に収容した状態の正面図である。
【図３】洗濯ネット１１Ａをとりつけた上着１０Ａの前部を広げた状態の斜視図である。
【図４】洗濯ネット１１Ｂをとりつけたスボン１０Ｂの正面図である。
【符号の説明】
１０，１０Ａ，１０Ｂ              衣服
１１，１１Ａ，１１Ｂ              洗濯ネット
１２，１２Ａ，１２Ｂ              開口部
１３，１３Ａ，１３Ｂ              開閉具
【図１】
2005009056.tif 000003
【図２】
2005009056.tif 000004
【図３】
2005009056.tif 000005
【図４】
2005009056.tif 000006